【手続補正書】
【提出日】平成20年3月25日(2008.3.25)
【手続補正１】
【補正対象書類名】明細書
【補正対象項目名】００１２
【補正方法】変更
【補正の内容】
【００１２】
ビレット状の素材に、軸方向寸法を圧縮する据え込み加工と、中央部を押し潰しつつ余肉を外径寄り部分に逃がして有底円筒状に加工する後方押出加工と、底部を打ち抜く打ち抜き加工とを組み合わせて、円筒状の高精度リングを得る事も考えられる。但し、上記外輪２ａ或いは内輪３ａ等の軌道輪を構成する、高炭素鋼、軸受鋼等の硬質の難加工材では、後方押出加工に使用するパンチに加わる応力が高くなり、このパンチの寿命が短くなる為、コスト低減の面から不利になる。これに対して、特許文献４に記載されている様に、金属板を打ち抜いて造った円輪状の素材の断面形状を９０度変換する反転加工により高精度リングを造る事も考えられる。この点に就いて、図１４〜１５により説明する。
【手続補正２】
【補正対象書類名】明細書
【補正対象項目名】００２８
【補正方法】変更
【補正の内容】
【００２８】
この様にして得たビレット２１は、軸方向に圧縮する据え込み加工により、図１の（Ｂ）に示す様な円盤状中間素材２２とする。この円盤状中間素材２２は、軸方向に関する厚さ寸法に関して、中央部の厚さ寸法Ｔ1 が最も大きく、外周縁部の厚さＴ2 寸法が最も小さい。そして、この中央部から外周縁部に向け、厚さ寸法が漸減する様に、上記円盤状中間素材２２の軸方向両側面を、傾斜角度が緩い、部分円すい面状としている。造るべき高精度リング８の厚さＴ8 は、上記両部の厚さＴ1 、Ｔ2 の中間（Ｔ1 ＞Ｔ8 ＞Ｔ2 ）である。この様な円盤状中間素材２２を得る為に、上記線材を適正容積に切断した上記ビレット２１を、この円盤状中間素材２２の外径Ｄ22と同じ内径を有する有底の円孔を備えた受型内に、これらビレット２１の中心軸と円孔の中心軸とを一致させた状態でセットし、上記円孔の底面と押型の先端面との間で上記ビレット２１を軸方向に圧縮する。これら底面と先端面との形状は、上記円盤状中間素材２２の軸方向両側面に見合う（凹凸方向が逆になった）形状とされているので、上記底面と先端面とを強く押し付け合う事で、上記円盤状中間素材２２を得られる。
【手続補正３】
【補正対象書類名】明細書
【補正対象項目名】００３１
【補正方法】変更
【補正の内容】
【００３１】
上述の様な円輪状中間素材２６を形成した後、図１の（Ｅ）に示す様に、この円輪状中間素材２６の外径寄り部分を径方向内方に縮め、同じく内径寄り部分を径方向外方に広げる方向に断面の方向を９０度変更する、反転加工を施す。この反転加工は、図２に示す様に、円筒状のダイ１６内に上記円輪状中間素材２６を、パンチ１７で押し込む事により行なう。このダイ１６は、図１５により前述した様に、開口部側に設けられた大径部１８と、奥側に設けられた、この大径部１８と同心の小径部１９とを、湾曲面２０により連続させた中心孔を有する。このうちの小径部１９の内径Ｒ19は、上記円輪状中間素材２６の外径よりも小さく、内径よりも大きい。又、上記パンチ１７は、先端部を先細のテーパ部としている。上記反転加工を行なう際には、先ず、図２の（Ａ）に示す様に、上記円輪状中間素材２６を上記大径部１８の内側に係止（セット）する。次いで、図２の（Ｂ）（Ｃ）に示す様に、上記パンチ１７により上記円輪状中間素材２６を上記小径部１９の内側にまで押し込む。この結果、この円輪状中間素材２６の断面が９０度反転し、図１の（Ｅ）図２の（Ｃ）に示す様な、円筒状の前記高精度リング８が得られる。
【手続補正４】
【補正対象書類名】明細書
【補正対象項目名】００３７
【補正方法】変更
【補正の内容】
【００３７】
図６〜７は、請求項１〜３、６〜８に対応する、本発明の実施例４を示している。本実施例の場合には、図６の（Ａ）→（Ｂ）→（Ｃ）に示す様にして、素材であるビレット２１を軸方向に圧縮して円盤状中間素材２２ａを造る工程を工夫する事により、このビレット２１の軸方向両端面に存在する破断面｛図６の（Ａ）〜（Ｅ）に破線を付した部分｝が、完成後の高精度リング８、８ａ、８ｂ｛例えば図１の（Ｅ）、図３の（Ｆ）、図１２、１３の（Ａ）参照｝の表面に残留しない様にしている。即ち、本実施例の場合には、上記ビレット２１の軸方向両端面を平坦に（破断面を矯正）して、図６の（Ｂ）に示す様なビヤ樽型の予備中間素材３２としてから、この予備中間素材３２を軸方向に押し潰す据え込み加工を施して、図６の（Ｃ）に示す様な、上記円盤状中間素材２２ａとしている。この過程で、上記ビレット２１に軸方向両端面が径方向に拡がらない様にして、上記破断面が、図６の（Ｅ）に示した素円輪状中間素材３１ａの表面に残留しない様にしている。以下、この様に破断面をこの素円輪状中間素材３１ａの表面に残留しない様にする為の構成に就いて説明する。
【手続補正５】
【補正対象書類名】明細書
【補正対象項目名】００４８
【補正方法】変更
【補正の内容】
【００４８】
本実施例の場合、上記凹部２３ａを、上記円盤状中間素材２２ａの片面にのみ形成する。又、この凹部２３ａを形成すべく、この円盤状中間素材２２ａの片面中央部を押圧する際に、図９に示す様に、この円盤状中間素材２２ａの外周縁部をダイス４５の内周面で拘束し、この円盤状中間素材２２ａの外径が拡がらない様にする。この様に、この円盤状中間素材２２ａの外周縁部を拘束しつつ、パンチ４６によりこの円盤状中間素材２２ａの中間部をカウンターパンチ４７に向け押し付けると、図８の（Ｄ）及び図９の（Ｃ）に示す様な、中央部に凹部２３ａを、外周寄り部分に摺鉢状の傾斜円輪部４８を備えた、皿状の第二円盤状中間素材２４ｃを得られる。
【手続補正６】
【補正対象書類名】明細書
【補正対象項目名】００４９
【補正方法】変更
【補正の内容】
【００４９】
この様な第二円盤状中間素材２４ｃは、図８の（Ｅ）に示す様な、中央部を打ち抜いて素円孔３０ａを形成し、素円輪状中間素材３１ｂとした後、前述の図５に示した実施例３の場合と同様、図８の（Ｆ）に示す様にサイジング加工を施してから図８の（Ｇ）に示す様に内周縁部にピアス加工を施して、摺鉢状の円輪状中間素材２６ａを得る。そして、この円輪状中間素材２６ａを、軸方向寸法が大きい内周縁側をそのまま（一度径を縮める事なく）径方向外方に、軸方向寸法が小さい外周縁側をそのまま（一度径を拡げる事なく）径方向内方に、それぞれ変形させる事で、円周方向各部が軸方向に対して平行になるまで９０度未満の角度変更により反転加工して、図８の（Ｈ）に示す様な高精度リング８とする。
【手続補正７】
【補正対象書類名】明細書
【補正対象項目名】００５２
【補正方法】変更
【補正の内容】
【００５２】
又、前述の実施例１〜４の如く、図１０の（Ａ）−（ｃ）に示す様に、中心孔の直径が十分であるが平坦な円輪状中間素材２６の場合、図１０の（Ｂ）−（ｄ）に示す様な、比較的軸方向寸法が短い高精度リング８を造る事はできる。但し、上記軸方向寸法が長い高精度リング８Ａを造る場合には、反転加工に伴って直径が広くなる内周縁部分に発生する引っ張り応力に基づき、図１０の（Ｂ）−（ａ）（ｂ）に示す様な欠陥を生じ易くなる。従って、上記図１０の（Ａ）−（ｃ）に示した円輪状中間素材２６から上記図１０の（Ｂ）−（ｃ）に示した高精度リング８Ａを歩留良く造る事はできない。これに対して本実施例の場合には、図１０の（Ａ）−（ｂ）に誇張して示す様に、始めから傾斜した摺鉢状の円輪状中間素材２６ａに、９０度未満の角度変更を伴う反転加工を施すので、この反転加工に伴って直径が大きくなる内周縁部分に発生する引っ張り応力を低く抑えられる。この為、反転加工に伴って直径が大きくなる内周縁部分に関しても、図１０の（Ｂ）−（ａ）（ｂ）に示す様な欠陥を生じにくくして、歩留を向上させられる。
【手続補正８】
【補正対象書類名】明細書
【補正対象項目名】００５４
【補正方法】変更
【補正の内容】
【００５４】
１    ラジアル玉軸受
２、２ａ  外輪
３、３ａ  内輪
４    玉
５    外輪軌道
６    内輪軌道
７    保持器
８、８ａ、８ｂ、８Ａ  高精度リング
９、９ａ  第一中間素材
１０、１０ａ  第二中間素材
１１、１１ａ  第三中間素材
１２、１２ａ  第四中間素材
１３    円盤状素材
１４    中間素材
１５    リング状部材
１６    ダイ
１７    パンチ
１８    大径部
１９    小径部
２０    湾曲部
２１    ビレット
２２、２２ａ  円盤状中間素材
２３、２３ａ  凹部
２４、２４ａ、２４ｂ、２４ｃ、２４ｄ  第二円盤状中間素材
２５    円孔
２６、２６ａ、２６ｂ  円輪状中間素材
２７    ダイ
２８    円孔
２９    パンチ
３０、３０ａ    素円孔
３１、３１ａ、３１ｂ  素円輪状中間素材
３２    予備中間素材
３３    固定ブロック
３４    ダイス
３５    カウンターパンチ
３６    リングパンチ
３７    パンチ
３８、３８ａ  弾性部材
３９    下側中心孔
４０    加工用凹部
４１    ラム
４２    上側中心孔
４３    厚肉部分
４４    スクラップ
４５    ダイス
４６    パンチ
４７    カウンターパンチ
４８    傾斜円輪部
【手続補正９】
【補正対象書類名】図面
【補正対象項目名】図７
【補正方法】変更
【補正の内容】
【図７】
2006123003.tif 000001
【手続補正１０】
【補正対象書類名】図面
【補正対象項目名】図１０
【補正方法】変更
【補正の内容】
【図１０】
2006123003.tif 000002